(57)【要約】      （修正有）【課題】普段所持しているハンカチやタオル、バンダナなどや、飲食店の紙又は布製のナプキンをエプロンとして利用できる吊り下げ具を提供する。【解決手段】ゴム紐、ゴムバンドなど伸縮性のある紐体１の両端にクリップ３を取り付けたことを特徴とする。【選択図】図２
0003152501.tif 000002
【実用新案登録請求の範囲】
【請求項１】
ゴム紐、ゴムバンドなど伸縮性のある紐体の両端にクリップを取り付け、紐体を首に掛け、クリップでナプキンなどを挟んで吊り下げる、ことを特徴とする吊り下げ具。
【請求項２】
前記クリップは、名前や図形、デザイン、キャラクター、メッセージ、企業広告、ロゴマークなどを表示できる、ことを特徴とする請求項１の吊り下げ具。
【請求項３】
前記クリップが、名前や図形、デザイン、キャラクター、メッセージ、企業広告、ロゴマークなどの形をした請求項１の吊り下げ具。
【考案の詳細な説明】
【技術分野】
【０００１】
本考案は、普段所持しているハンカチやタオル、バンダナなどや、飲食店の紙又は布製のナプキンを、気軽にエプロンとして利用するための吊り下げ具に関するものである。
【背景技術】
【０００２】
従来、食事の際は何も道具を使わず、ナプキンを襟元に挟むか、膝やウエストの辺りに置くことで、衣類への汚れを防いでいた。そのため登実３０５３５７６では「鎖」の両端にクリップを備えた道具が考案され、登実３０９７３０７では「チェーン」や「長さが可変のコイル状のひも」の両端にクリップを備えた道具が考案されている。また、登実３０４３７８４では首の後ろで取り付け時に長さを調節できる「揺動可能な動作体」を備えた道具が考案されている。
【先行技術文献】
【特許文献】
【０００３】
【特許文献１】登録番号：登実３０５３５７６（出願番号：実願平１０−００３３４８）
【特許文献２】登録番号：登実３０９７３０７（出願番号：実願２００３−００３０１１）
【特許文献３】登録番号：登実３０４３７８４（出願番号：実願平０９−００４３６５）
【考案の概要】
【考案が解決しようとする課題】
【０００４】
登実３０５３５７６や登実３０９７３０７で使用されている「鎖」や「チェーン」は伸縮性が無い為、ナプキンをクリップに取り付けたり、クリップから取り外す様子が自分の目に見えず、取り付け・取り外しが難しい。逆に取り付け・取り外しを容易にする為には「鎖」や「チェーン」を必要以上に長いものにする必要があるが、それではナプキン取り付け完了時には首元が大きく開き、衣類への汚れを防ぐという本来の目的を達成できない。また、「鎖」や「チェーン」は切れたり絡まりやすく、金属アレルギーを持っている人は利用できない。
【０００５】
また、登実３０９７３０７の請求項３では「長さが可変のコイル状のひも」を使用する、とあるが体に痕が残りやすい。
【０００６】
登実３０４３７８４では「揺動可能な動作体」を首の後ろで調節する必要があるため、幼児や高齢者、肢体不自由な人は勿論、健常者の大人でも調節が難しく煩わしい。
【課題を解決するための手段】
【０００７】
ゴム紐、ゴムバンドなど伸縮性のある紐体の両端にクリップを取り付けたことで、取り付けの際はゴム紐、ゴムバンドを伸ばして、自分の目で確認しながらクリップにナプキンを挟み込める為、取り付けが容易となる。
また、取り付け完了時はゴム紐、ゴムバンドが縮み、ナプキンが衣類を首元までしっかり覆うので、衣類は汚れない。取り外す際も、ゴム紐、ゴムバンドを伸ばして、自分の目で確認しながらクリップをナプキンから取り外すので、クリップを手探りで探す煩わしさがない。
【考案の効果】
【０００８】
ゴム紐、ゴムバンドなど伸縮性のある紐体であるため、ナプキンの取り付け・取り外しが容易である。また、取り付け完了時はゴム紐、ゴムバンドが縮み、ナプキンが衣類を首元までしっかり覆うので、衣類は汚れない。
【図面の簡単な説明】
【０００９】
【図１】図１は吊り下げ具の実施方法を示した説明図である。（実施例１）
【図２】図２は吊り下げ具の実施方法を示した説明図である。（実施例２）
【図３】図３は名前などの表示物を示した説明図である。（実施例２）
【図４】図４は企業広告などの表示物を示した説明図である。（実施例２）
【図５】図５は吊り下げ具の実施方法を示した説明図である。（実施例３）
【図６】図６は吊り下げ具の取り付け方法を示した説明図である。
【考案を実施するための形態】
【００１０】
ナプキンの取り付け・取り外しが容易であり、かつ、衣類を汚さないという目的を、ゴム紐、ゴムバンドなど伸縮性のある紐体を使用することで実現した。
【実施例１】
【００１１】
図１は、ゴム紐、ゴムバンドなど伸縮性のある紐体１の両端に、目玉クリップ２を取り付けた第１の吊り下げ具を示す。紐体１の長さは、紐体１が縮んだ際程良くナプキンが首元にくる程度が望ましく、ここでは金属製の目玉クリップ２を用いているが、ナプキンを挟み込むことが可能であればクリップの素材や形状を問わない。
【実施例２】
【００１２】
図２は別の吊り下げ具を示し、紐体１の両端に名前や図形、デザイン、キャラクター、メッセージ、企業広告、ロゴマークなどを表示することを可能とした平面型クリップ３を取り付けたものである。平面型クリップ３は平面である為、図３のような名前などの表示物４又は図４のような企業広告などの表示物５を表示することが可能である。
【００１３】
表示方法としては、平面型クリップ３の左右どちらか一方又は両方の、片面又は両面に挟み込んだり、印刷したり、または紙製やフィルム製などのシールを貼り付けて表示するなどの方法が考えられる。
【実施例３】
【００１４】
図５は、紐体１の両端に名前や図形、デザイン、キャラクター、メッセージ、企業広告、ロゴマークなどの形をしたクリップ６を取り付けた吊り下げ具を示す。
【００１５】
取り付ける際は図６の通り、あらかじめ片方のクリップ２．３．６にナプキン７を挟み込んだ後、ナプキン７を胸に当てがいながら、もう一方のクリップ２．３．６を取り付ける様子が自分の目で確認できるところまで紐体１を適度に伸ばし、ナプキン７をクリップ２．３．６に挟む。
【産業上の利用可能性】
【００１６】
家庭の中で利用したり、レストランなどの飲食店側が料理と一緒に提供するなど、本考案が利用される場面は限りない。また、クリップに名前や図形、デザイン、キャラクター、メッセージ、企業広告、ロゴマークなどを表示することで、単にナプキンなどを吊り下げる道具としてだけでなく、本考案を通じて様々な伝達を可能とし、また利用する側が自ら吊り下げ具を個性的にアレンジして利用することも可能である。
【符号の説明】
【００１７】
１    ゴム紐、ゴムバンドなど伸縮性のある紐体
２    目玉クリップ
３    平面型クリップ
４    名前などの表示物
５    企業広告などの表示物
６    キャラクターなどの形をしたクリップ
７    ナプキン
【図３】
0003152501.tif 000003
【図４】
0003152501.tif 000004
【図１】
0003152501.tif 000005
【図２】
0003152501.tif 000006
【図５】
0003152501.tif 000007
【図６】
0003152501.tif 000008
【手続補正書】
【提出日】平成21年6月2日(2009.6.2)
【手続補正１】
【補正対象書類名】実用新案登録請求の範囲
【補正対象項目名】全文
【補正方法】変更
【補正の内容】
【実用新案登録請求の範囲】
【請求項１】
ゴム紐、ゴムバンドなど伸縮性のある紐体の両端にクリップを取り付け、紐体を首に掛け、クリップでナプキンなどを挟んで吊り下げる、ことを特徴とする吊り下げ具。
【請求項２】
前記のクリップの片面又は両面に、名前や図形、デザイン、キャラクター、メッセージ、企業広告、ロゴマークなどの表示物を、直接印刷したり、あるいはあらかじめ表示物を印刷した紙製またはフィルム製などのシールを貼り付けることによって、表示物を表示できるようにしたことを特徴とする請求項１の吊り下げ具。
【請求項３】
前記クリップが、名前や文字、図形、デザイン、キャラクター、企業のロゴマークなどの形をした請求項１の吊り下げ具。